(57)【特許請求の範囲】
【請求項１】
二方向緩衝器であって、
第１の端部（１６）と第２の端部（１８）とを有する閉じた室を区画形成するハウジング（１４）と、
前記室の第１の端部と第２の端部との間で前記室に固定して配設された第１の組立体（２４）であって、前記室の第１の端部と該第１の組立体との間で前記室に第１の室部分が区画形成されている、第１の組立体と、
第１の室部分（２６）に配設され前記室の中を該室に対して動くことのできるピストン組立体（３２）であって、該ピストン組立体（３２）が、第１の室部分（２６）をピストン組立体（３２）と第１の組立体（２４）との間にある圧縮副室部分（６２）と、ピストン組立体（３２）と前記室の第１の端部（１６）との間にある拡張副室部分（６４）とに細分割している、ピストン組立体と、
第１の端部（３４）と第２の端部（３８）とを有するシャフト（３６）であって、該シャフト（３６）の第１の端部（３４）がピストン組立体（３６）に連結され、該シャフト（３６）が前記室の外に該室の第１の端部（１６）のシールされた開口（４４）を通って延出することにより該シャフト（３６）の第２の端部（３８）が前記室の外に位置する、シャフトと、
第１の組立体（２４）と前記室の第２の端部（１８）との間で前記室に配設され前記室の中を該室に対して動くことができる浮動ピストン（６６）であって、第２の室部分（６８）が該浮動ピストン（６６）と第１の組立体（２４）との間で前記室に区画形成され、第３の室部分（７２）が該浮動ピストン（６６）と前記室の第２の端部（１８）との間で前記室に区画形成され、第１の室部分（２６）と第２の室部分（６８）とが液体で充たされ、第３の室部分（７２）がガスで充たされている、浮動ピストン、
とを具備し、
ピストン組立体（３２）が液体を所定の流量で圧縮副室部分（６２）から拡張副室部分（６４）へと第１の組立体（２４）とピストン組立体（３２）とが相互に近づくよう相対的に移動した時に流す第１のオリフィス（８４，９２）と、液体を所定の流量で拡張副室部分（６４）から圧縮副室部分（６２）へとピストン組立体（３２）と第１の組立体（２４）とが相互に離れるよう相対的に移動した時に流す第２のオリフィス（８２，８８）とを含み、
第１の組立体が液体を所定の流量で圧縮副室部分（６２）から前記室の第２の部分（６８）へとピストン組立体（３２）と第１の組立体（２４）とが相互に近づくよう相対的に移動した時に流す第３のオリフィス（１０４，１０６）と、液体を所定の流量で前記室の第２の部分（６８）から圧縮副室部分（６２）へとピストン組立体（３２）と第１の組立体（２４）とが相互に離れるよう相対的に移動した時に流す第４のオリフィス（１０８，１０２）とを含み、
さらに前記緩衝器が浮動ピストン（６６）を前記室の第２の端部（１８）から離れるよう付勢するスプリング（７８）を具備している、
二方向緩衝器。
【請求項２】
浮動ピストン（６６）を付勢するスプリング（７８）が室の第３の部分（７２）に配設されている請求項１に記載の二方向緩衝器。
【請求項３】
第１のオリフィスの流量と、第２のオリフィスの流量と、第３のオリフィスの流量と、第４のオリフィスの流量とが、緩衝器によって得られる減衰量が個々に調整できるよう予め決定できる請求項１に記載の二方向緩衝器。
【請求項４】
第１のオリフィスと第２のオリフィスと第３のオリフィスは各々、計量された液体の流れを発生する溝を含む請求項１に記載の二方向緩衝器。
【請求項５】
室が細長く室の第１の端部から室の第２の端部へと延びる長手方向の中心軸線を有し、シャフトの長手方向の中心軸線が室の長手方向中心軸線と同軸であり、ピストン組立体と浮動ピストンとが室に対しシャフトと室の長手方向軸線と平行な方向に動く、請求項１に記載の二方向緩衝器。
【請求項６】
ハウジングが管である請求項５に記載の二方向緩衝器。
【請求項７】
浮動ピストン（６６）が、液体の室の第２の部分（６８）から室の第３の部分（７２）への漏れを阻止し且つガスの室の第３の部分（７２）から室の第２の部分（６８）への漏れを阻止するシール（１１２）を含んでいる請求項１に記載の二方向緩衝器。
【請求項８】
ピストン組立体の第１のオリフィスが液体を所定の流量で室の拡張副室部分から室の圧縮副室部分へとピストン組立体と第１の組立体が相互に離れるよう相対的に動かされた時に流し、ピストン組立体の第２のオリフィスが液体を所定の流量で室の圧縮副室部分から室の拡張副室部分へとピストン組立体と第１の組立体が相互に近づくよう相対的に移動した時に流す、請求項１に記載の二方向緩衝器。
【請求項９】
第１の組立体の第３のオリフィスによって室の圧縮副室部分から室の第２の部分へと流れる流量が第１の組立体の第４のオリフィスにより室の第２の部分から室の圧縮副室部分へと流される流量より小さい請求項１に記載の二方向緩衝器。
【請求項１０】
ピストン組立体の第１のオリフィスの流量と、ピストン組立体の第２のオリフィスの流量と、第１の組立体の第３のオリフィスの流量と、第１の組立体の第４のオリフィスの流量とが、緩衝器によって得られる減衰量が個々に調整できるよう予め決定できる請求項９に記載の二方向緩衝器。
【請求項１１】
室が、細長くまた室の第１の端部から室の第２の端部へと延びる長手方向の中心軸線を有し、シャフトの長手方向中心軸線が室の長手方向中心軸線と同軸であり、ピストン組立体と浮動ピストンとが室に対し、シャフトと室の長手方向の軸線に平行な方向に動く、請求項１０に記載の二方向緩衝器。
【請求項１２】
第１のオリフィスと第２のオリフィスと第３のオリフィスは各々、計量された液体の流れを発生する溝を含む請求項１１に記載の二方向緩衝器。
【請求項１３】
ハウジングが管であり；浮動ピストンを付勢するスプリングが室の第３の部分に配設されている請求項１２に記載の二方向緩衝器。
【請求項１４】
第１の浮動ピストンが、液体が室の第２の部分から室の第３の部分へと漏れないようにし、ガスが室の第３の部分から室の第２の部分へと漏れないようにするシールを含んでいる請求項１３に記載の二方向緩衝器。
【請求項１５】
ピストン組立体の第１のオリフィスが液体を所定の流量で室の拡張副室部分から室の圧縮副室部分へとピストン組立体と第１の組立体が相互に離れるよう相対的に動かされた時に流し、またピストン組立体の第２のオリフィスが液体を所定の流量で室の圧縮副室部分から室の拡張副室部分へとピストン組立体と第１の組立体が相互に近づくよう相対的に動いた時に流す、請求項１４に記載の二方向緩衝器。
【発明の詳細な説明】
【０００１】
【発明の属する技術分野】
本発明は緩衝器に関し、さらに詳細には減速され又は制止されるのに蓋又は錘りの運動を必要とする場合に用いることのできる型の緩衝器に関する。
【０００２】
【従来の技術】
このような緩衝器の種々の型又は構造が知られている。概して言えば、１つの普通の構造は非圧縮性の流体又は液体で充たされた細長い閉鎖された室を区画形成する管状本体を用いている。ピストンとシャフトの組立体がこの室の内部に配設されることによりシャフトの一端が室の外に延びるようになっている。シャフトのこの一端部と管状本体とはそれぞれ、運動が減衰される部材と相対的に固定された部材との間で連結される。ピストン組立体によって担持された弁又は他の手段がピストン組立体を横切る流体の流れを制御する作用をする。緩衝器の減衰量はピストン組立体が管状本体に対し相対的に動かされるときのピストン組立体を横切る流体の流れの量によって決定される。
【０００３】
【発明が解決しようとする課題】
この従来の構造の緩衝器の作動位置はキャビテーションに関する潜在的な問題により制限される。これは上記のような緩衝器の使用法に不利な影響を及ぼし使用寿命を短くする。緩衝器の技術分野に従事する者は実用的で位置の影響を受けない、キャビテーション作用のない、緩衝器の構造を長い間追求してきた。
【０００４】
【課題を解決するための手段】
本発明の改良された緩衝器は、位置の影響を受けず、この緩衝器は、従来の普通の緩衝器の構造に本来備わっている「キャビテーション」又は「自制のない降下」の問題をなくする。本発明の改良されたキャビテーション作用のない緩衝器は減衰ピストンが常時流体の中にあることを保証する新規な構造を含んでいる。これは本発明の改良された緩衝器を任意の方向に、すなわちシャフトを上方に、シャフトを下方に、また水平にさえも、取付けることができるようにする。本発明の緩衝器のこの融通性は緩衝器を減速するのに蓋や錘りを必要とするようないかなる場合にも適用できるようにする。例えば、この緩衝器はプラスチックのプリンターカバーの閉じる作用を弱めるのに用いられ、上昇下降ゲートの開放速度を制御し、また操縦リンク機構の二方向運動を制御する。本発明の緩衝器はまた大きな荷重（例えば病院用ガーニー又はダンプスターの蓋のような）に適応し、そして特に４インチ（１０．１６cm）又はそれ以上のストロークで重い荷重を平均化するのに効果的である。その融通性は後方と前方に動く独特のシールされた浮動ピストンに大きく起因し、ピストンとシャフトの組立体の運動で常に室内の流体圧力を保持しピストンとシャフトの組立体が延びまた圧縮するときの均一な減衰作用を保証する。
【０００５】
本発明の緩衝器はまたこれがしばしば他の従来の緩衝器よりも小さい「外囲容器」の中に嵌合できる点で空間的に有利である。さらに、本発明の緩衝器は伸長、圧縮、又はその両方向に広範囲の減衰量で減衰させるよう構成することができる。この緩衝器は実用的でありまた１００ポンド（４５kg）を超える荷重を制御するように十分な強さを有し、しかもまた３ポンド（１．３５kg）の軽い荷重を減衰させるのに十分な感度を有している。
【０００６】
したがって、本発明の主要な目的は、改良された、実用的な、位置の影響を受けない、キャビテーション作用のない、差動的な、二方向緩衝器を提供することである。
【０００７】
本発明の他の目的は上記の型の改良された緩衝器を提供することであり、この緩衝器は第１の端部と第２の端部とを有する閉鎖された室を区画形成するハウジングを含み、第１の組立体が室の中にその第１と第２の端部の間で配設されそれにより第１の室部分が室の中に室の第１の端部と第１の組立体との間で区画形成されるようにし、ピストン組立体が第１の室部分の内部に配設されハウジングの内部でハウジングに対し動くことができ、かつ第１の室をピストン組立体と第１の組立体との間に区画形成された圧縮副室部分と、ピストン組立体と室の第１の端部との間に区画形成された拡張副室部分とに細分割し、シャフトがピストン組立体にその一端が連結されまた室の第１の端部のシールされた開口を通って室の外に延出する他端部を有し、浮動ピストン又は同様の部材が第１の組立体と室の第２の端部との間で室に配設され、室の内部を室に対して動くことができ、浮動ピストンと第１の組立体との間で室の中に第２の室部分を区画形成し、浮動ピストンと室の第２の端部との間で室の中に第３の室部分を区画形成し、第１及び第２の室部分に流体が充填され第３の室部分にガスが充填され、ピストン組立体が、第１の組立体とピストン組立体とが相互に向って相対的に動かされた時流体を所定の流量で室の圧縮副室部分から室の拡張副室部分へと流す第１の手段と、ピストン組立体と第１の組立体とが相互に離れるよう相対的に動いた時流体を所定の流量で拡張副室部分から室の圧縮副室部分へと流す第２の手段とを含み、第１の組立体が、ピストン組立体と第１の組立体とが相互に向って相対的に動いた時流体を所定の流量で室の圧縮副室部分から室の第２の部分へと流す第３の手段と、ピストン組立体と第１の組立体が相互に離れるよう相対的に動いた時流体を所定の流量で室の第２の部分から室の圧縮副室部分へと流す第４の手段とを含み、そして浮動ピストンが室の第２の端部から離れるよう付勢されている。
【０００８】
本発明の他の目的は、上記の型の改良された、位置の影響を受けない、キャビテーション作用のない、差動的な、二方向の緩衝器を提供することであり、この緩衝器では、第１、第２及び第３の流れを生じさせる手段が緩衝器によって得られる減衰の量が独立して同調されるように予め選択される。本発明の関連した目的は第１、第２及び第３の流れを生じさせる手段がオリフィスを含んでいる上記の型の改良された緩衝器を提供することである。
【０００９】
本発明のさらに他の目的は上記の型の改良された位置に影響されない、キャビテーション作用のない、差動的な、二方向の緩衝器を提供することであり、この緩衝器においては、室が細長く、室の両端部の間に延びる長手方向の中心軸線を有し、ピストン組立体のシャフトの長手方向軸線が室の長手方向中心軸線と同軸であり、そしてピストン組立体と浮動ピストンとが室に対してピストン組立体シャフトと室との長手方向軸線に平行な方向に動く。本発明の関連した目的は浮動ピストンを付勢するスプリングが室の第３の部分に配設された上記の型の改良された緩衝器を提供することである。
【００１０】
本発明のこれらのまた他の目的、利点及び長所は添付図面に関連して記載される本発明の好適な実施態様の以下の記載からさらに明らかとなるであろう。
【００１１】
【発明の実施の形態】
本発明の改良された位置の影響を受けない、キャビテーション作用のない、差動的な、二方向性緩衝器の好ましい実施態様が図１に全体が１２で示されている。緩衝器１２は、ほぼ同筒形の断面を有する第１の端部１６と第２の端部１８とを有しまた第１及び第２の端部１６と１８の間に延びる長手方向の中心軸線を有する、ほぼ管状のハウジング１４を含んでいる。ハウジング１４は端部１６と１８の間に長手方向に延びる閉じた細長い空洞２２を区画形成している。
【００１２】
第１の組立体２４が端部１６と１８の間で空洞２２の内部に配設されている。第１の組立体２４とハウジング１４の第１の端部１６とハウジング１４の壁２８とは空洞２２の第１の部分２６を区画形成する。第１の組立体２４はハウジング１４に対して動かない。
【００１３】
ピストン組立体３２が第１の室部分２６の内部の第１の組立体２４とハウジング１４の第１の端部１６との間に配設されている。このピストン組立体は第１の室部分２６の内部を第１の組立体とハウジング１４の第１の端部１６との間でハウジング１４に対し室２２の長手方向中心軸線に平行に前後に相対的に動くことができる。以下にさらに詳細に記載されるように、ピストン組立体３２は公知の設計と構造のものである。
【００１４】
シャフト３６の一方の縮小された径の端部３４がピストン組立体３２に公知の方法で連結される。シャフト３６の他方の端部３８はハウジング１４の第１の端部１６の外に延出し、シャフトの長手方向の軸線はハウジングの長手方向の軸線と同軸である。シャフト３６の長さは端部３８がハウジング１４から露出するような長さである。通常の連結具４２がシャフト３６の他端部３８に取付けられている。連結具４２はシャフトを例えば公知のボール型連結具（図示しない）に連結しそれによりシャフト３６とピストン組立体３２とがダンプスターの蓋のような減衰されるべき相対的に動き得る部材（図示しない）に、又はダンプスター本体のような相対的に固定された部材（図示しない）に取付けられるようにする。
【００１５】
公知のシャフトシール組立体４４がハウジング１４の内部に配設されまたハウジング１４の第１の端部１６を閉じる作用をする。シャフト３６が公知の方法で組立体１４の中央の軸方向開口を通って摺動するよう延出する。このシャフトシール組立体４４は保持具４６（ハウジング１４に圧入される）と、ブッシュ４８と、環状シャフトシール５２と、テフロン（登録商標名）のリング５４とを含み、これらは全てシャフト３６を取巻いている。Ｏ−リング５６がブッシュ４８の外側の半径方向外側に向く表面の環状溝に配設されブッシュとハウジング１４の隣接壁２８との間のシールとして作用する。第１の端部１６を区画形成する管状ハウジング１４の壁２８の端部は内側にすえ込みされシャフトシール組立体４４をハウジング１４の内部に固定するのを助けるようにする。
【００１６】
この可動ピストン組立体３２は第１の室部分２６を、第１の組立体２４とピストン組立体３２との間に区画形成された圧縮副室部分６２と、ピストン組立体３２とハウジングの第１の端部１６さらに詳しくはシャフトシール組立体４４との間に区画形成された拡張副室部分６４とに細分割する。副室部分６２と６４の容積はもちろんピストン組立体３２が第１の室部分２６の内部をハウジング１４に対して動くにつれて、変動する。
【００１７】
浮動ピストン６６は、空洞２２の内部に第１の組立体２４とハウジング１４の第２の端部１８との間に配設され、空洞２２の内部をハウジング１４の長手方向軸線に平行な方向に、第１の組立体２４と端部１８との間で動くことができる。空洞２２の第２の部分６８がハウジング１４の内部の、浮動ピストン６６と第１の組立体２４との間に区画形成される。第３の部分７２が空洞２２の浮動ピストン６６と第２の端部１８との間に区画形成される。
【００１８】
ハウジング１４の第２の端部１８は第２の端部１８に固定された端部キャップ７４によって閉じられシールされている。端部キャップ７４は端部キャップを、したがってハウジング１４を１つの部材（図示しない）に取付け又は連結するための連結具７６を含んでいる。この連結具７６は、連結具４２が減衰される相対的に移動可能な部材に連結され又はその逆に連結された時、相対的に固定された部材に連結されるようになっている。
【００１９】
この型の緩衝器に普通に用いられる流体のうちの１つのような流体が第１及び第２の室部分２６と６８を充たす。ガスばねに普通に用いられるようなガスが第３の室部分７２を充たす。ガスは大気圧とすることもできるが、加圧することができる。
【００２０】
公知のコイル圧縮スプリング７８がハウジング１４の第３の室部分７２の内部の端部キャップ７４と浮動ピストン６６との間に配設されている。このスプリングは浮動ピストンを端部キャップ７４から離れるよう付勢する作用をする。以下に説明されるように、第３の室部分７２のガスの圧力とコイル圧縮スプリング７８の付勢力とは本発明の緩衝器１２が以下に記載されるように作動するのに十分となっている。
【００２１】
さてピストン組立体３２について再び述べると、一対の構造が同一の環状オリフィスプレート８２と８４が、公知のやり方でシャフト３６の縮径端部３４に取付けられる。環状の離間部材８６がまた縮径端部３４のプレート８２と８４の間に取付けられプレート８２と８４を分離され固定され離間された関係に保持する作用する。
【００２２】
図１に示されるように、プレート８２と８４の各々は、プレート８２と８４の末端の又は開放した端部８８と９２がそれぞれ相互に対面するほぼカップ形状の断面を有している。プレート８２と８４の、環状の半径方向外側に向く表面の直径は、第１の室部分２６の隣接するハウジング壁２８の直径より小さい。このため、流体はプレートのこれらの外側表面と管状のハウジング壁２８との間を容易に通過することができる。
【００２３】
一対の環状ワッシャー９４と９６が離間部材８６に取付けられ部材８６と管状ハウジング壁２８との間を半径方向に延びている。ワッシャー９４と９６の半径方向内径は、ピストン組立体３２が動いた時離間部材８６に対し、したがってまたプレート８２と８４に対しこれに沿って前後に（シャフト３６の長手方向中心軸線に平行な方向に）容易に動き又は摺動できるような大きさとなっている。ワッシャー９４と９６の半径方向の外径はハウジング壁２８の内側表面の直径より小さく、これがワッシャーの上記した運動を容易にする。
【００２４】
Ｏ−リング９８がワッシャー９４と９６の間で離間部材８６の周りに配設される。ピストン組立体３２と共に動くＯ−リング９８はこのＯ−リングが一方のワッシャーに近接している時ハウジング壁２８とワッシャー９４又は９６の一方との間の空間をシールする作用をする。
【００２５】
オリフィスプレート８２と８４の末端８８と９２は好ましくは圧印加工により形成された１つ又は複数の半径方向に向けられた溝（図示しない）を有する。これらの溝の数と大きさは、ワッシャーがハウジング１４とピストン組立体３２との間の相対運動中に末端部８８又は９２に押しつけられ保持された時ワッシャー９４又は９６とその隣接末端部８８又は９２との間を流体が流れることのできる量を決定する。
【００２６】
再び蓋をするため、流体流路がピストン組立体３２を横切りしたがって圧縮副室部分６２と拡張副室部分６４との間に区画形成される。この流路は、プレート８２と８４の半径方向外側に向く表面とハウジング壁２８との間と、末端部８８と９２とワッシャー９４と９６との間と、ワッシャーの半径方向外側に向く表面と離間部材８６との間とに、間隔を含んでいる。ワッシャー９４又は９６がその隣接末端部８８又は９２に当接した時、この端部の溝は流体流路の最も制限された部分として作用する。１つのワッシャーがその隣接末端部から離間された時、流体流路のこの部分（すなわち、ワッシャーと末端部との間の部分）は非常に大きくなる。ワッシャー９４と９６の溝の大きさと数を予め選択することにより、流体の流量、したがって緩衝器の拡張及び圧縮量は種々の予想される緩衝器の用途のため予め決定することができる。
【００２７】
要するに、管状ハウジング１４とピストン組立体３２との間に相対的な運動が生じそれによりピストン組立体が第１の組立体２４に向って相対的に動くと、副室部分６２の流体はピストン組立体３２を横切り副室部分６４へと流れる。詳しくは、流体は、オリフィスプレート８２の半径方向外側に向く表面とハウジング壁２８との間と、この時離間される末端部８８とワッシャー９４との間と、ワッシャー９４の半径方向内側に向く表面と離間部材８６との間とを、流れる。この流体はワッシャー９６の半径方向内側に向く表面と離間部材８６との間をオリフィスプレート８４の末端部９２の溝を通って流れ続ける。ピストン組立体３２の相対運動により、ワッシャー９６は末端部９２に押しつけられ緊密に当接される。したがって、末端部９２の溝が流体をワッシャー９２と末端部９６との間を通過させることのできる唯一の手段であるため、これらの溝の大きさと数は実際上、ピストン組立体３２を横切る又は通過する流体の流量を決定する。同様に、ピストン組立体３２が管状ハウジングに対し相対的に動かされピストン組立体３２が第１の組立体２４から離れるよう動いた時、オリフィスプレート８２の末端部８８の溝はピストン組立体３２を横切る流体の流量を決定する。
【００２８】
第１の組立体２４はハウジング１４の内部に取付けられた環状流れワッシャー１０２を含み、それによりワッシャーの半径方向外側に向く表面がハウジングの壁２８に当接するようにしている。組立体２４はまたオリフィスプレート８２及び８４と構造が同様の環状オリフィスプレート１０４を含んでいる。プレート１０４の末端部１０６がワッシャー１０２に向って（すなわちハウジング１４の第２の端部１８に向って）対面する。プレート１０４はリベット１０８の一端部（すなわち、ピストン組立体３２に対面する端部）に取付けられる。詳細には、リベット１０８は環状流れワッシャー１０２の中央開口を通って延び、そしてその長手方向の軸線がハウジング１４の長手方向軸線と同軸となっている。リベット１０８はハウジングの第２の端部１８に対面するその端部のリベット部分１１０を含んでいる。この部分１１０は環状ワッシャー１０２の中央開口よりも大きな直径を有している。
【００２９】
ワッシャ１０２の中央開口と隣接する半径方向外側に向く表面の各半径方向の寸法は、リベットが「固定された」ワッシャー１０２に対して前後に（ハウジング１４の長手方向中心軸線にほぼ平方な方向に）動くまたは摺動することができまた流体がその間を流れることができるような大きさとなっている。オリフィスプレート８２と８４の末端部８８と９２と同様に、プレート１０４の末端部１０６は好ましくは圧印加工により形成された１つ又は複数のほぼ半径方向に向けられた溝を有している。
【００３０】
流体は、オリフィスプレート１０４の半径方向外側に向く表面と管状ハウジングの壁２８との間、末端部１０６と流れワッシャー１０２との間、及び流れワッシャー１０２の半径方向内側に向く表面とリベット１０８の半径方向外側に向く表面との間を流れることにより第１の組立体２４を横切って流れることができる。リベット１０８とオリフィスプレート１０４は相互に固定されそれによりリベットとオリフィスプレートとが一緒に動くようにし、また流れワッシャー１０２は管状ハウジング１４に対し固定される。リベット１０８とオリフィスプレート１０４はプレート１０４の末端部１０６がワッシャー１０２の隣接側に緊密に当接する第１の位置と末端部１０６がワッシャー１０２から離間される第２の位置との間で動く。さらに、末端部１０６の溝はワッシャー１０２とプレート１０４が第１の位置にある時唯一の流体流路として作用する。
【００３１】
したがって、ピストン組立体３２が、ハウジング１４に対して移動し組立体３２と組立体２２が相互に近づくよう移動した時、第１の組立体２４を横切る（すなわち圧縮副室部分６２から第２の室部分６８への）流体の流量はプレート１０４の末端部１０６の溝の大きさと数により制限される。同様に、ピストン組立体３２が第１の組立体２４から離れるよう相対的に動いた時、流体は第２の室部分６８から圧縮副室部分６２へと流れることができまた流体の流量は流れワッシャー１０２とオリフィスプレート１０４が離間されているため溝の大きさと数によっては制限されない。
【００３２】
浮動ピストン６６は半径方向外側に向く表面の溝に配設されたＯ−リング１１２を含んでいる。このＯ−リングは浮動ピストン６６と隣接管状ハウジングの壁２８との間に流体／ガスシールを形成し、ピストン６６が室１２の内部で動くとき流体が第２の室部分６８から第３の部分７２へと漏れまたガスが第３の室部分７２から第２の室部分６８へと漏れるのを阻止する。
【００３３】
流体が圧縮副室部分６２から第２の室部分６８に流れた（すなわち、移動押しのけ容量によって強制された）時、浮動ピストン６６はスプリング７８の付勢力と第３の室部分７２のガスとに抗して第２の端部１８に向って移動するようになる。逆に、流体が第２の室部分６８から圧縮副室部分６２の中へと流れた時、ピストンはスプリング７８の付勢力と第３の室部分７２のガスにより第１の組立体２４に向って移動する。このような運動の結果、浮動ピストン６６は第２の室部分６８の流体の圧力を保持し、第１の室の中に常に十分な流体が存在しそれによりキャビテーションが生じないようにするのを保証する。
【００３４】
上記のように、本発明の改良された緩衝器の利点の１つはオリフィスプレート８２，８４及び１０４の末端部８８，９２及び１０６に形成された溝が流体の流暢を決定しまたそのため緩衝器１２の減衰量を決定することである。これらの溝の様々な大きさと数を末端部の各々に用いることができる。溝の大きさと数を予め選択することにより、シャフト伸長方向とシャフト圧縮方向との両方向の減衰量が精密にまた慎重に制御され調整される。本発明の好ましい実施態様においてオリフィスプレートの末端部の溝が減衰量を制御又は調整するために用いられているが、当業者ならば他の弁又はオリフィス装置を同じ作用と目的を達成するために用いることのできることが明らかとなるであろう。
【図面の簡単な説明】
【図１】本発明の位置の影響を受けない、キャビテーション作用のない、差動的な、二方向緩衝器の垂直縦断面図である。
【符号の説明】
１２…緩衝器
１４…ハウジング
１６，１８…端部
２２…空洞（室）
２４…第１の組立体
２６…第１の部分
２８…ハウジングの壁
３２…ピストン組立体
３４…端部
３６…シャフト
３８…端部
４４…シャフトシール組立体
４６…保持具
４８…ブッシュ
５２…シール
５４…リング
５６…Ｏ−リング
６６…浮動ピストン
６８…第２の部分
７２…第３の部分
７４…端部キャップ
７６…連結具
７８…スプリング
８２，８４…オリフィスプレート
【図１】
0004053640.tif 000002